(57)【要約】【課題】ＴＤＤ−ＦＤＤ  ＣＡを前提としたＴＤＤ  ＵＬ−ＤＬ構成に依存しないＤｙｎａｍｉｃ  ＴＤＤを実現すること。【解決手段】キャリアアグリゲーションを適用して複数のセルと無線通信を行うユーザ端末は、Ｄｙｎａｍｉｃ  ＴＤＤセルであるセカンダリセルと接続する場合に、プライマリセルから送信されるＤｙｎａｍｉｃ  ＴＤＤセルのサブフレーム構成の動的な指示を含む制御情報を受信する受信部と、制御情報に基づいてＤｙｎａｍｉｃ  ＴＤＤセルにおける１つまたは複数のサブフレームが上りリンクサブフレームか下りリンクサブフレームかを判定し、かつ、Ｄｙｎａｍｉｃ  ＴＤＤセルに対する動作を制御する制御部と、を有する。【選択図】図３
2015133642.tif 000002
【特許請求の範囲】
【請求項１】
キャリアアグリゲーションを適用して複数のセルと無線通信を行うユーザ端末であって、
Ｄｙｎａｍｉｃ  ＴＤＤセルであるセカンダリセルと接続する場合に、プライマリセルから送信される前記Ｄｙｎａｍｉｃ  ＴＤＤセルのサブフレーム構成の動的な指示を含む制御情報を受信する受信部と、
前記制御情報に基づいて、前記Ｄｙｎａｍｉｃ  ＴＤＤセルにおける１つまたは複数のサブフレームが上りリンクサブフレームか下りリンクサブフレームかを判定し、かつ、前記Ｄｙｎａｍｉｃ  ＴＤＤセルに対する動作を制御する制御部と、を有することを特徴とするユーザ端末。
【請求項２】
前記プライマリセルはライセンスバンドであり、前記セカンダリセルは非ライセンスバンドであることを特徴とする請求項１に記載のユーザ端末。
【請求項３】
前記制御部は、前記制御信号に基づいて、特定のサブフレームがスイッチングサブフレームであると認識することを特徴とする請求項１に記載のユーザ端末。
【請求項４】
前記制御部は、前記制御信号に基づいて、前記Ｄｙｎａｍｉｃ  ＴＤＤセルにおいて下りリンクサブフレームから上りリンクサブフレームへの切り替わりを認識した際に、いずれかのサブフレームをスイッチングサブフレームと認識することを特徴とする請求項１に記載のユーザ端末。
【請求項５】
前記制御部は、前記制御信号に基づいて、前記Ｄｙｎａｍｉｃ  ＴＤＤセルのサブフレーム構成をＤＬ  ｏｎｌｙ  ｃａｒｒｉｅｒとして制御することを特徴とする請求項１に記載のユーザ端末。
【請求項６】
上りリンクキャリアアグリゲーションをサポートしないことを特徴とする請求項５に記載のユーザ端末。
【請求項７】
前記制御部は、前記制御信号に基づいて、下りリンクサブフレーム以外のサブフレームで端末間直接信号の受信動作を制御することを特徴とする請求項１に記載のユーザ端末。
【請求項８】
前記制御部は、前記制御信号に基づいて、前記Ｄｙｎａｍｉｃ  ＴＤＤセルの上りリンクサブフレームにおける端末間直接信号の送信動作を制御することを特徴とする請求項１に記載のユーザ端末。
【請求項９】
キャリアアグリゲーションを適用してユーザ端末と通信する無線基地局であって、
ユーザ端末がＤｙｎａｍｉｃ  ＴＤＤセルであるセカンダリセルと接続する場合に、前記Ｄｙｎａｍｉｃ  ＴＤＤセルのサブフレーム構成を選択する選択部と、
前記サブフレーム構成に基づいて前記ユーザ端末と前記Ｄｙｎａｍｉｃ  ＴＤＤセルとの送受信を制御する制御部と、
前記サブフレーム構成を含む制御信号をユーザ端末に通知する送信部と、を有することを特徴とする無線基地局。
【請求項１０】
キャリアアグリゲーションを適用して複数のセルと無線通信を行うユーザ端末の無線通信方法であって、
Ｄｙｎａｍｉｃ  ＴＤＤセルであるセカンダリセルと接続する場合に、プライマリセルから送信される前記Ｄｙｎａｍｉｃ  ＴＤＤセルのサブフレーム構成の動的な指示を含む制御情報を受信する工程と、
前記制御情報に基づいて、前記Ｄｙｎａｍｉｃ  ＴＤＤセルにおける１つまたは複数のサブフレームが上りリンクサブフレームか下りリンクサブフレームかを判定し、かつ、前記Ｄｙｎａｍｉｃ  ＴＤＤセルに対する動作を制御する工程と、を有することを特徴とする無線通信方法。
【発明の詳細な説明】
【技術分野】
【０００１】
本発明は、次世代移動通信システムにおけるユーザ端末、無線基地局および無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。
【０００３】
ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００４】
ＬＴＥからのさらなる広帯域化および高速化を目的として、たとえばＬＴＥアドバンストまたはＬＴＥエンハンスメントと呼ばれるＬＴＥの後継システムが検討され、ＬＴＥ  Ｒｅｌ．１０／１１（ＬＴＥ−Ａ）として仕様化されている。
【０００５】
ＬＴＥシステムおよびＬＴＥ−Ａシステムの無線通信における複信形式（Duplex-mode）として、上りリンク（ＵＬ）と下りリンク（ＤＬ）を周波数で分割する周波数分割複信（ＦＤＤ：Frequency  Division  Duplex）と、上りリンクと下りリンクを時間で分割する時間分割複信（ＴＤＤ：Time  Division  Duplex）とがある。
【０００６】
ＬＴＥ  Ｒｅｌ．１０／１１のシステム帯域は、ＬＴＥシステムのシステム帯域を一単位とする少なくとも１つのコンポーネントキャリア（ＣＣ：Component  Carrier）を含んでいる。このように、複数のＣＣを集めて広帯域化することをキャリアアグリゲーション（ＣＡ：Carrier  Aggregation）という。
【０００７】
ＬＴＥ  Ｒｅｌ．１０／１１におけるキャリアアグリゲーション（ＣＡ）では、複数のＣＣ間で適用される複信形式は同一の複信形式に限られている。これに対して、たとえばＬＴＥ  Ｒｅｌ．１２以降の将来の無線通信システムにおけるキャリアアグリゲーション（ＣＡ）では、複数のＣＣ間で異なる複信形式を適用することも想定される。このようなキャリアアグリゲーション（ＣＡ）をＴＤＤ−ＦＤＤ  ＣＡと記す。
【０００８】
ＬＴＥのさらなる後継システムであるＬＴＥ  Ｒｅｌ．１２においては、複数のセルが異なる周波数帯（キャリア）で用いられる様々なシナリオが検討されている。複数のセルを形成する無線基地局が実質的に同一の場合には、上述のキャリアアグリゲーション（ＣＡ）を適用可能である。一方、複数のセルを形成する無線基地局が完全に異なる場合には、デュアルコネクティビティ（ＤＣ：Dual  Connectivity）を適用することが考えられる。
【０００９】
キャリアアグリゲーション（ＣＡ）はＩｎｔｒａ−ｅＮＢ  ＣＡと呼ばれることがあり、デュアルコネクティビティ（ＤＣ）はＩｎｔｅｒ−ｅＮＢ  ＣＡと呼ばれることがある。
【先行技術文献】
【非特許文献】
【００１０】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【００１１】
ＴＤＤ−ＦＤＤ  ＣＡを前提として、Ｒｅｌ．１２で検討されているＤｙｎａｍｉｃ  ＴＤＤが併用される可能性がある。また、ＴＤＤ−ＦＤＤ  ＣＡにおいてセカンダリセル（ＳＣＣ）に用いるＴＤＤキャリアをＤＬ  ｏｎｌｙ  ｃａｒｒｉｅｒとすることが検討されている。しかしながら、ＴＤＤ−ＦＤＤ  ＣＡにおいてセカンダリセル（ＳＣＣ）にＤＬ  ｏｎｌｙ  ｃａｒｒｉｅｒを用いた場合、Ｒｅｌ．１２で検討されているＤｙｎａｍｉｃ  ＴＤＤを適用することができない。また、Ｒｅｌ．  １１でサポートされているＴＤＤ  ＵＬ−ＤＬ構成（UL-DL  configuration）では選択できる上下サブフレームの比率が限定される。
【００１２】
本発明はかかる点に鑑みてなされたものであり、ＴＤＤ−ＦＤＤ  ＣＡを前提としたＴＤＤ  ＵＬ−ＤＬ構成に依存しないＤｙｎａｍｉｃ  ＴＤＤを実現できるユーザ端末、無線基地局および無線通信方法を提供することを目的とする。
【課題を解決するための手段】
【００１３】
本発明のユーザ端末は、キャリアアグリゲーションを適用して複数のセルと無線通信を行うユーザ端末であって、Ｄｙｎａｍｉｃ  ＴＤＤセルであるセカンダリセルと接続する場合に、プライマリセルから送信される前記Ｄｙｎａｍｉｃ  ＴＤＤセルのサブフレーム構成の動的な指示を含む制御情報を受信する受信部と、前記制御情報に基づいて前記Ｄｙｎａｍｉｃ  ＴＤＤセルにおける１つまたは複数のサブフレームが上りリンクサブフレームか下りリンクサブフレームかを判定し、かつ、前記Ｄｙｎａｍｉｃ  ＴＤＤセルに対する動作を制御する制御部と、を有することを特徴とする。
【発明の効果】
【００１４】
本発明によれば、ＴＤＤ−ＦＤＤ  ＣＡを前提としたＴＤＤ  ＵＬ−ＤＬ構成に依存しないＤｙｎａｍｉｃ  ＴＤＤを実現できる。
【図面の簡単な説明】
【００１５】
【図１】ＴＤＤ−ＦＤＤ  ＣＡの概要を説明する図である。
【図２】既存のＵＬ−ＤＬ構成を説明する図である。
【図３】第１の態様において、ＴＤＤ−ＦＤＤ  ＣＡを前提とした拡張Ｄｙｎａｍｉｃ  ＴＤＤの概要を説明する図である。
【図４】第１の態様において、非ライセンスバンドをＬＴＥに用いるＬＴＥ−Ｕを説明する図である。
【図５】第２の態様において、スイッチングサブフレームの概要を説明する図である。
【図６】第２の態様において、スイッチングサブフレームの概要を説明する図である。
【図７】第２の態様において、スイッチングサブフレームの概要を説明する図である。
【図８】第３の態様において、ＵＬキャリアアグリゲーション（ＣＡ）をサポートするユーザ端末またはサポートしないユーザ端末に対するＴＤＤの構成を説明する図である。
【図９】第４の態様において、Ｄ２Ｄ技術への応用について説明する図である。
【図１０】本実施の形態に係る無線通信システムの概略構成の一例を示す図である。
【図１１】本実施の形態に係る無線基地局の全体構成の一例を示す図である。
【図１２】本実施の形態に係る無線基地局の機能構成の一例を示す図である。
【図１３】本実施の形態に係るユーザ端末の全体構成の一例を示す図である。
【図１４】本実施の形態に係るユーザ端末の機能構成の一例を示す図である。
【発明を実施するための形態】
【００１６】
以下、本発明の実施の形態について、図面を参照して詳細に説明する。
図１は、ＴＤＤ−ＦＤＤ  ＣＡの概要を説明する図である。図１Ａは、プライマリセル（ＰＣｅｌｌ：Primary  Cell，ＰＣＣ）にＦＤＤキャリアを用いて、セカンダリセル（ＳＣｅｌｌ：Secondary  Cell，ＳＣＣ）にＤｙｎａｍｉｃ  ＴＤＤキャリアを用いたＴＤＤ−ＦＤＤ  ＣＡを示している。図１Ｂは、プライマリセル（ＰＣＣ）にＤｙｎａｍｉｃ  ＴＤＤキャリアを用いて、セカンダリセル（ＳＣＣ）にＦＤＤキャリアを用いたＴＤＤ−ＦＤＤ  ＣＡを示している。図１において、“Ｄ”はＤＬサブフレーム、“Ｕ”はＵＬサブフレーム、“Ｓ”はスペシャルサブフレーム（特殊サブフレーム）を示している。
【００１７】
ＦＤＤでは、ＤＬアサインメントおよびＵＬグラントは、全ＤＬサブフレームの物理下りリンク制御チャネル（ＰＤＣＣＨ：Physical  Downlink  Control  Channel）または拡張物理下りリンク制御チャネル（ＥＰＤＣＣＨ：Enhanced  PDCCH）で送信され、同一サブフレームで下り共有チャネル（ＰＤＳＣＨ：Physical  Downlink  Shared  Channel）が送信され、その４［ｍｓ］後に上り共有チャネル（ＰＵＳＣＨ：Physical  Uplink  Shared  Channel）が送信される。
【００１８】
ＦＤＤでは、ユーザ端末は、全ＤＬサブフレームのＰＤＣＣＨまたはＥＰＤＣＣＨの受信を試みる。ユーザ端末は、全ＤＬサブフレームで参照信号が送信されていると仮定して、チャネル品質（ＣＱＩ：Channel  Quality  Indicator）や受信電力（ＲＳＲＰ：Reference  Signal  Received  Power）の測定を行う。
【００１９】
ＴＤＤでは、ＤＬアサインメントおよびＵＬグラントを送信するＤＬサブフレームはＵＬ−ＤＬ構成（UL-DL  configuration）により異なり、特定のサブフレームに限られる。ＵＬ−ＤＬ構成として、具体的には、ＵＬサブフレームおよびＤＬサブフレーム間の送信比率が異なる７つのフレーム構成であるＵＬ−ＤＬ構成＃０から＃６が規定されている（図２参照）。ＴＤＤでは、ＰＤＳＣＨまたはＰＵＳＣＨの送信タイミングもＵＬ−ＤＬ構成およびサブフレーム番号ごとに異なる。
【００２０】
ＴＤＤでは、ユーザ端末は、設定されたＵＬ−ＤＬ構成およびスペシャルサブフレーム構成に基づいて特定のＤＬサブフレームでＰＤＣＣＨまたはＥＰＤＣＣＨの受信を試みる。ユーザ端末は、設定されたＵＬ−ＤＬ構成およびスペシャルサブフレーム構成に基づいて特定のＤＬサブフレームで参照信号が送信されていると仮定して、チャネル品質（ＣＱＩ）や受信電力（ＲＳＲＰ）の測定を行う。
【００２１】
Ｒｅｌ．１２では、既存のＵＬ−ＤＬ構成を動的に切り替えることにより、ＴＤＤのフレーム構成を上下トラフィックに応じて動的に切り替えるＤｙｎａｍｉｃ  ＴＤＤ（またはＲｅｌ．１２  ｅＩＭＴＡ（enhanced  Interference  Management  and  Traffic  Adaptation））が検討されている。Ｒｅｌ．１２  Ｄｙｎａｍｉｃ  ＴＤＤを適用する場合、フレーム構成の動的な変更により、再送制御（ＨＡＲＱ：Hybrid  Automatic  Repeat  reQuest）タイミングが動的に切り替わることを避けるため、準静的（semi-static）なＨＡＲＱタイミングを用いることが検討されている。すなわち、Ｒｅｌ．１２  Ｄｙｎａｍｉｃ  ＴＤＤでは、ＨＡＲＱタイミングをＵＬ−ＤＬ構成の動的な切り替えとは独立させることで適切な制御情報の送信タイミングを保障している。ＨＡＲＱの送信タイミングとして、たとえば上りリンクはＳＩＢ１  ＴＤＤ  ＵＬ−ＤＬ構成に従い、下りリンクはＲｅｌ．８  ＴＤＤ  ＵＬ−ＤＬ構成｛２，４，５｝から選択することが議論されている。
【００２２】
したがって、ＴＤＤ−ＦＤＤ  ＣＡでクロスキャリアスケジューリングをする際には、ＨＡＲＱタイミングを上述の制限に従わせることで、プライマリセル（ＰＣＣ）にＦＤＤキャリアまたはＴＤＤキャリアのいずれかを用いる場合であってもＲｅｌ．１２  Ｄｙｎａｍｉｃ  ＴＤＤをサポートできる可能性が高い。
【００２３】
一般にマクロセルはＦＤＤで運用される場合が多いため、ＴＤＤ−ＦＤＤ  ＣＡにおいてプライマリセル（ＰＣＣ）にＦＤＤキャリアを用いる場合が多いと考えられる。この場合、ＴＤＤバンドをセカンダリセル（ＳＣＣ）に用いる際に、上りトラフィックに対して通信量が大きい下りトラフィックに対応するため、セカンダリセル（ＳＣＣ）に用いるＴＤＤキャリアを下りリンクのみにするＤＬ  ｏｎｌｙ  ｃａｒｒｉｅｒが検討されている。
【００２４】
ＤＬ  ｏｎｌｙ  ｃａｒｒｉｅｒとは、ＴＤＤにおける新しいＵＬ−ＤＬ構成として、（１）１０ＤＬサブフレーム、（２）９ＤＬサブフレームおよび１  ｎｏｎ−ＵＬサブフレームまたは（３）８ＤＬサブフレームおよび２  ｎｏｎ−ＵＬサブフレームのいずれかの構成を規定するものである。
【００２５】
上記（２）または（３）において、ｎｏｎ−ＵＬサブフレームは、スペシャルサブフレームのアップリンクパイロットタイムスロット（ＵｐＰＴＳ：Uplink  Pilot  Time  Slot）以外のＵＬシンボルを含まないサブフレームである。たとえば、一部またはすべてのシンボルをブランクとし、残りをＤＬシンボルとするサブフレームであってもよいし、スペシャルサブフレームであってもよい。
【００２６】
ＤＬ  ｏｎｌｙ  ｃａｒｒｉｅｒは、既存のＵＬ−ＤＬ構成とは異なり、ＵＬサブフレームが存在しないため、キャリアアグリゲーション（ＣＡ）におけるセカンダリセル（ＳＣＣ）としての利用が前提となる。
【００２７】
一方で、スモールセルのようにユーザ数が少ない環境では、バースト的に上りトラフィックが増大する場合もあるため、Ｄｙｎａｍｉｃ  ＴＤＤによりＵＬサブフレームとＤＬサブフレームの比率を変えることができるようにすることが好ましい。
【００２８】
しかしながら、セカンダリセル（ＳＣＣ）にＤＬ  ｏｎｌｙ  ｃａｒｒｉｅｒを適用した場合、Ｒｅｌ．１２  Ｄｙｎａｍｉｃ  ＴＤＤを適用することはできない。Ｒｅｌ．１２  Ｄｙｎａｍｉｃ  ＴＤＤでは、ＳＩＢ１（System  Information  Block  Type1）で通知されたＵＬ−ＤＬ構成を基準にＵＬサブフレームをＤＬサブフレームに動的に切り替える。ここで、後方互換性を確保するため、ＤＬサブフレームまたはスペシャルサブフレームをＵＬサブフレームに変更することは許容されていない。
【００２９】
一方で、上りリンクキャリアアグリゲーション（ＵＬ  ＣＡ）できないユーザ端末がＲｅｌ．１２  Ｄｙｎａｍｉｃ  ＴＤＤを適用するＣＣに接続する場合には、これらのＣＣをＤＬ  ｏｎｌｙ  ｃａｒｒｉｅｒとして扱うことが望ましい。
【００３０】
したがって、Ｒｅｌ．１２  Ｄｙｎａｍｉｃ  ＴＤＤを適用するためには何らかの仕様化が必要となる。そして、Ｒｅｌ．８  ＴＤＤ  ＵＬ−ＤＬ構成には必ずＵＬサブフレームが含まれるため、Ｒｅｌ．１２  Ｄｙｎａｍｉｃ  ＴＤＤを適用する限りＵＬサブフレームが残ってしまう。また、Ｒｅｌ．１２  Ｄｙｎａｍｉｃ  ＴＤＤではＨＡＲＱタイミングに制限があり、遅延が大きい。
【００３１】
そこで本発明者らは、ＴＤＤ−ＦＤＤ  ＣＡを前提とした拡張（enhanced）Ｄｙｎａｍｉｃ  ＴＤＤの実現方法を見出した。以下、ＴＤＤ−ＦＤＤ  ＣＡを前提とした拡張Ｄｙｎａｍｉｃ  ＴＤＤを実現するための上下サブフレーム構成法について説明する。
【００３２】
（第１の態様）
図３は、ＴＤＤ−ＦＤＤ  ＣＡを前提とした拡張Ｄｙｎａｍｉｃ  ＴＤＤの概要を説明する図である。拡張Ｄｙｎａｍｉｃ  ＴＤＤは、ＵＬ−ＤＬ構成に縛られない、配置フリー（Configuration-free）のＤｙｎａｍｉｃ  ＴＤＤともいうことができる。
【００３３】
第１の態様に係る構成において、プライマリセル（ＰＣＣ）とセカンダリセル（ＳＣＣ）との関係性は、キャリアアグリゲーション（ＣＡ）であってもよいし、デュアルコネクティビティ（ＤＣ）であってもよい。以下の説明では一例としてキャリアアグリゲーション（ＣＡ）を適用する場合について説明する。
【００３４】
ＴＤＤ−ＦＤＤ  ＣＡでプライマリセル（ＰＣＣ）にＦＤＤキャリアを用いることを前提としてＤｙｎａｍｉｃ  ＴＤＤを設計した場合、プライマリセル（ＰＣＣ）には常に制御情報を送受可能なＤＬサブフレームおよびＵＬサブフレームが存在する。
【００３５】
そのため、図３に示すようにセカンダリセル（ＳＣＣ）として利用するＤｙｎａｍｉｃ  ＴＤＤキャリアの制御情報をプライマリセル（ＰＣＣ）で送受することにより、Ｒｅｌ．１２  Ｄｙｎａｍｉｃ  ＴＤＤよりフレキシブルな拡張Ｄｙｎａｍｉｃ  ＴＤＤを実現することができる。プライマリセル（ＰＣＣ）を用いてあらゆる制御情報を送信することにより、たとえばデータ信号、参照信号、同期信号などのセカンダリセル（ＳＣＣ）に対するあらゆる信号の送受を高い自由度で動的に変更可能とする。
【００３６】
セカンダリセル（ＳＣＣ）に対しては、ユーザ端末に対して上下リンクを時分割で用いるＴＤＤベースのキャリアを設定する。このＴＤＤベースのキャリアは、既存のＴＤＤのように特定のＵＬ−ＤＬ構成およびスペシャルサブフレーム構成を設定するのではなく、ユーザ端末がプライマリセル（ＰＣＣ）からの動的な指示に基づいてＵＬサブフレームかＤＬサブフレームかを判定する。ユーザ端末は、ＵＬサブフレームかＤＬサブフレームかの指示を受信していないサブフレームをＤＬサブフレームとみなしてもよい。
【００３７】
具体的には、プライマリセル（ＰＣＣ）は、ＭＡＣレイヤまたは物理レイヤのシグナリングにより、セカンダリセル（ＳＣＣ）における１つまたは複数のサブフレームがＵＬサブフレームまたはＤＬサブフレームであることをユーザ端末に通知する。したがって、ユーザ端末は、特定のＵＬ−ＤＬ構成情報などでＴＤＤキャリアにおけるＵＬサブフレームまたはＤＬサブフレームをあらかじめ知らされている必要はない。このとき、ＤＬアサインメントとＰＤＳＣＨまたはＵＬグラントとＰＵＳＣＨのタイミング関係は、それぞれＦＤＤと同一でもよいし、他の固定のタイミング関係でもＲＲＣシグナリング、報知信号などの上位レイヤシグナリングを用いて通知してもよい。
【００３８】
このように構成することにより、既存のＵＬ−ＤＬ構成を利用したＲｅｌ．１２  Ｄｙｎａｍｉｃ  ＴＤＤでは実現不可能なサブフレーム構成を、拡張Ｄｙｎａｍｉｃ  ＴＤＤによって実現することができる。このようなサブフレーム構成とは、たとえばＤＬサブフレームが連続して構成され、数フレーム後にＵＬサブフレームに切り替わるような構成である。
【００３９】
ユーザ端末は、プライマリセル（ＰＣＣ）の指示に基づいて、セカンダリセル（ＳＣＣ）におけるメジャメント、セカンダリセル（ＳＣＣ）におけるＣＳＩ（Channel  State  Information）測定、セカンダリセル（ＳＣＣ）におけるサーチスペース、制御チャネル、データチャネルまたはディスカバリなどのＤＬ受信、セカンダリセル（ＳＣＣ）におけるＲＡＣＨ（Random  Access  CHannel）送信、セカンダリセル（ＳＣＣ）におけるＵＬ送信、セカンダリセル（ＳＣＣ）におけるＵＣＩ（Uplink  Control  Information）フィードバックまたはセカンダリセル（ＳＣＣ）におけるサウンディングなどを行う。
【００４０】
プライマリセル（ＰＣＣ）からユーザ端末に対してこれらの指示を行うことにより、ユーザ端末の確実な制御を実現できる。ユーザ端末が移動することにより接続するセカンダリセル（ＳＣＣ）は随時変更される。したがって、セカンダリセル（ＳＣＣ）から制御信号を送信する場合に比べて、プライマリセル（ＰＣＣ）から制御信号を送信する場合には、より品質を担保できるためである。
【００４１】
たとえばプライマリセル（ＰＣＣ）はオペレータに割り当てられたライセンスバンド（Licensed  Band）であり、セカンダリセル（ＳＣＣ）はライセンスバンドでも、あるいは、たとえばＩＥＥＥ  ８０２．１１シリーズに準拠した無線ＬＡＮで利用されているような非ライセンスバンド（Unlicensed  Band）であってもよい。
【００４２】
非ライセンスバンドに関して、非ライセンスバンドをＬＴＥに用いるＬＴＥ−Ｕ（Unlicensed）が提案されている。図４は非ライセンスバンドの３つの利用モードを示している。具体的には、図４Ａはキャリアアグリゲーション（ＣＡ）またはデュアルコネクティビティ（ＤＣ）モード、図４Ｂは付加下りリンク（ＳＤＬ：Supplemental  DownLink）モード、図４Ｃはスタンドアローンモードを示している。この中で、キャリアアグリゲーション（ＣＡ）モードおよび付加下りリンク（ＳＤＬ）モードは、それぞれＬＴＥのキャリアアグリゲーション（ＣＡ）を用いて、セカンダリセル（ＳＣＣ）として非ライセンスバンドを利用するものである。非ライセンスバンドにおいては、無線アクセス方式としてＳＣ−ＦＤＭＡを用いるＰＵＳＣＨにかわり、ＯＦＤＭＡを用いるＥＰＵＳＣＨを用いる可能性がある。
【００４３】
ＴＤＤ−ＦＤＤ  ＣＡと非ライセンスバンドとを組み合わせた場合に、制御情報を非ライセンスバンドで送信すると、他システムとの衝突を避ける必要があるため制御信号の品質が低くなり、かつ、送信機会も担保されない。これに対して、第１の態様では、制御情報をライセンスバンドで送信しているため、ＴＤＤ−ＦＤＤ  ＣＡと非ライセンスバンドとを組み合わせた場合であっても、制御情報の信頼性を担保できる。
【００４４】
また、ＴＤＤ−ＦＤＤ  ＣＡと非ライセンスバンドとを組み合わせることにより、非ライセンスバンドＣＣでサポートする機能を最小限に留めることができるため、システムの低コスト化が可能となる。なお低コスト化という観点では、非ライセンスバンドＣＣをなるべくＣＣに閉じた簡易な制御にする方向もあり得る。しかし、この場合、非ライセンスバンドＣＣの動作はスタンドアローン動作に近くなるため、干渉コーディネーションなどの高度化が難しくなる。
【００４５】
ＴＤＤ−ＦＤＤ  ＣＡと非ライセンスバンドとを組み合わせた場合に、プライマリセル（ＰＣＣ）をＦＤＤとした場合は、任意のタイミングで制御情報を送受可能となる。
【００４６】
非ライセンスバンドではあらゆるタイミングで他システムから強い干渉を受ける可能性があるため、Ｄｙｎａｍｉｃ  ＴＤＤと非ライセンスバンドとを組み合わせることにより、Ｄｙｎａｍｉｃ  ＴＤＤにおける無線基地局間干渉の影響を相対的に小さくすることができる。
【００４７】
また、ライセンスバンドでは隣接バンドへの干渉を避けるためにＤｙｎａｍｉｃ  ＴＤＤの適用が限定される場合がある。一方、非ライセンスバンドでは送信電力が限定されることはあるものの、Ｄｙｎａｍｉｃ  ＴＤＤの適用に対する制限はない。したがって、Ｄｙｎａｍｉｃ  ＴＤＤと非ライセンスバンドとを組み合わせることにより、トラフィックに合わせて最大限のＵＬリソースまたはＤＬリソースを割り当てることが可能となる。
【００４８】
ＴＤＤ−ＦＤＤ  ＣＡと非ライセンスバンドとを組み合わせた場合、Ｄｙｎａｍｉｃ  ＴＤＤと非ライセンスバンドとを組み合わせた場合の双方において、非ライセンスバンドにおけるＬＴＥは後方非互換キャリア（Non-backward  compatible  carrier）となるため、より高度な拡張が許容される。
【００４９】
（第２の態様）
第２の態様では、第１の態様に係るＴＤＤ−ＦＤＤ  ＣＡを前提とした拡張Ｄｙｎａｍｉｃ  ＴＤＤを実現するための、ＴＤＤキャリアにおけるＤＬ通信とＵＬ通信との切替方法について説明する。ＴＤＤ通信では、ＤＬ通信とＵＬ通信とを切り替える場合にＤＬ通信とＵＬ通信との切替用インターバルとしてのガード期間（ＧＰ：Guard  Period）を用いる。
【００５０】
拡張Ｄｙｎａｍｉｃ  ＴＤＤにおいてＤＬ通信とＵＬ通信とを切り替えるための第１の方法として、切替用インターバルとしてスペシャルサブフレームまたはそれに類する信号構成を用いる。これらのサブフレームまたは信号構成を、以降スイッチングサブフレームとも記す。
【００５１】
図５はスイッチングサブフレームの概要を説明する図である。図５における（ａ）はスペシャルサブフレームを表し、（ｂ）および（ｃ）はスペシャルサブフレームに類する信号構成を表している。図５における（ａ）に示すように、スペシャルサブフレームは、ガード期間（ＧＰ）によって分離されたダウンリンクパイロットタイムスロット（ＤｗＰＴＳ）およびアップリンクパイロットタイムスロット（ＵｐＰＴＳ）を含んで構成される。図５における（ｂ）はＤＬサブフレームの末尾数シンボルを無送信にする信号構成を表している。図５における（ｃ）はＵＬサブフレームの先頭数シンボルを無送信にする信号構成を表している。
【００５２】
図５における（ａ）から（ｃ）に示すいずれの場合も、ガード期間（ＧＰ）の長さはシグナリングで変更可能である。プライマリセル（ＰＣＣ）は、ユーザ端末に対して、ガード期間（ＧＰ）を含むスイッチングサブフレーム構成を、ＰＤＣＣＨまたはＥＰＤＣＣＨを用いて通知してもよいし、ＲＲＣ（Radio  Resource  Control）報知信号を含む上位レイヤを用いて通知してもよいし、これらを組み合わせて通知してもよい。
【００５３】
ユーザ端末は、シグナリングによる通知または暗黙的（implicit）な通知のいずれか、またはその組み合わせによりスイッチングサブフレームの通知を受ける。シグナリングによる通知と暗黙的な通知とを組み合わせる場合には、ユーザ端末がシグナリングを検出できないときに代替として暗黙的な通知に基づいて動作するようにしてもよい。
【００５４】
まず、シグナリングによる通知について説明する。プライマリセル（ＰＣＣ）は、あるサブフレームがスイッチングサブフレームであることを指定するシグナリングを行うことにより、スイッチングサブフレームをユーザ端末に通知する。このシグナリングは、ＰＤＣＣＨまたはＥＰＤＣＣＨを用いて通知してもよいし、ＲＲＣ報知信号を含む上位レイヤを用いて通知してもよいし、これらを組み合わせて通知してもよい。
【００５５】
スイッチングサブフレームを指定するシグナリングは、スイッチングサブフレームまたはその１サブフレーム前のＤＬスケジューリングまたはその１サブフレーム後のＵＬスケジューリングを通知するＤＣI（Downlink  Control  Information）に含めてもよい。
【００５６】
スイッチングサブフレームを指定するシグナリングは、サウンディング参照信号（ＳＲＳ：Sounding  Reference  Signal）をユーザ端末に送信させるトリガを含んでいてもよい。たとえば、スイッチングサブフレームと同一のサブフレームでＳＲＳを送信してもよいし、１サブフレーム後または一定時間区間内のＵＬサブフレームでＳＲＳを送信してもよい。この場合、ユーザ端末は、スイッチングサブフレームの次のサブフレームをＤＬサブフレームとみなさない取り扱いをしてもよい。あるいはユーザ端末は、スイッチングサブフレームの次のサブフレームをＵＬサブフレームとみなす取り扱いをしてもよい。
【００５７】
次に、スイッチングサブフレームの暗黙的な通知について説明する。ユーザ端末にスイッチングサブフレームを暗黙的に通知することにより、シグナリングオーバーヘッドを削減することができる。
【００５８】
ユーザ端末は、ＤＬサブフレームからＵＬサブフレームへの切り替わりを認識するときに、いずれかのサブフレームをスイッチングサブフレームとして認識する。どのサブフレームをスイッチングサブフレームと認識するのかは、ユーザ端末の動作としていずれかを定めてもよいし、プライマリセル（ＰＣＣ）がユーザ端末に対してＰＤＣＣＨまたはＥＰＤＣＣＨを用いて通知してもよいし、ＲＲＣ報知信号を含む上位レイヤを用いて通知してもよいし、これらを組み合わせて通知してもよい。
【００５９】
たとえば、ユーザ端末がＵＬグラントの指定によりあらかじめ特定のサブフレームをＵＬサブフレームだと認識しており、その１サブフレーム前のサブフレームがＵＬサブフレームでない場合には、当該１サブフレーム前のサブフレームまたは当該ＵＬサブフレームをスイッチングサブフレームと認識してもよい。当該ＵＬサブフレームをスイッチングサブフレームと認識する場合には、このＵＬサブフレームは、図５における（ｃ）に示すようにＵＬサブフレームの先頭数シンボルを無送信にする信号構成で利用する場合に該当する。あるいは、ユーザ端末がＵＬグラントの指定によりあらかじめ特定のサブフレームをＵＬサブフレームだと認識しており、その１サブフレーム前のサブフレームがＤＬサブフレームである場合のみ、当該１サブフレーム前のサブフレームまたは当該ＵＬサブフレームをスイッチングサブフレームと認識してもよい。
【００６０】
ＵＬグラントとＤＬアサインメントの両方、またはいずれか一方の送信タイミングを変更して、ユーザ端末がスイッチングを認識できるようにしてもよい。たとえばＤＬアサインメントをＰＤＳＣＨが送信されるサブフレームの４サブフレーム前に送信し、ＵＬグラントをＰＵＳＣＨが送信されるサブフレームの５サブフレーム前に送信した場合、ユーザ端末は、ＤＬとＵＬの切り替えを４サブフレーム前に暗黙的に検出することができる。
【００６１】
ユーザ端末は、セミパーシステントスケジューリングあるいは周期的なＵＬ送信の１サブフレームはＤＬサブフレームであるとみなす取り扱いをしてもよい。
【００６２】
拡張Ｄｙｎａｍｉｃ  ＴＤＤにおいてＤＬ通信とＵＬ通信とを切り替えるための第２の方法として、ＤＬ通信とＵＬ通信との切り替えのタイミングで、図６に示すように、ＵＬサブフレームの前の１サブフレームをブランクにする。この場合、ブランクの１サブフレームが切替用インターバルとなる。ユーザ端末は、このサブフレームで一切の信号の送信を行わない。この構成は、ＤＬ通信とＵＬ通信との切り替えが低頻度であれば許容される。
【００６３】
拡張Ｄｙｎａｍｉｃ  ＴＤＤにおいてＤＬ通信とＵＬ通信とを切り替えるための第３の方法として、切替用インターバルを特に設けず、図７に示すように、ＤＬサブフレームとＵＬサブフレームとを連続して配置する。
【００６４】
（第３の態様）
第３の態様では、第１の態様に係るＴＤＤ−ＦＤＤ  ＣＡを前提とした拡張Ｄｙｎａｍｉｃ  ＴＤＤを用いた構成におけるＵＬキャリアアグリゲーション（ＣＡ）をサポートしないユーザ端末のサポートについて説明する。
【００６５】
第１の態様に係るＴＤＤ−ＦＤＤ  ＣＡにおいては、プライマリセル（ＰＣＣ）のＦＤＤキャリアとセカンダリセル（ＳＣＣ）の拡張Ｄｙｎａｍｉｃ  ＴＤＤキャリアの双方にＵＬサブフレームが存在する場合に、ユーザ端末がＵＬキャリアアグリゲーション（ＣＡ）をサポートすることが必要となる（図８Ａ参照）。しかしながら、ユーザ端末の中にはＵＬキャリアアグリゲーション（ＣＡ）をサポートしないものも存在する。
【００６６】
ＵＬキャリアアグリゲーション（ＣＡ）をサポートしないユーザ端末に対しても、拡張Ｄｙｎａｍｉｃ  ＴＤＤにおいてＤＬサブフレームだけをスケジューリングすることでセカンダリセル（ＳＣＣ）として利用可能としてもよい。たとえば、ＵＬキャリアアグリゲーション（ＣＡ）をサポートしないユーザ端末に対するＴＤＤの構成として、ＤＬ  ｏｎｌｙ  ｃａｒｒｉｅｒをシグナリングしてもよい（図８Ｂ参照）。このシグナリングは、プライマリセル（ＰＣＣ）のＲＲＣシグナリング、報知信号などの上位レイヤシグナリングを用いて行ってもよく、またセカンダリセル（ＳＣＣ）のＲＲＣシグナリング、報知信号などの上位レイヤシグナリングを用いて行ってもよく、これらを組み合わせて行ってもよい。ＵＬキャリアアグリゲーション（ＣＡ）をサポートするユーザ端末は、このシグナリングを無視することができる。
【００６７】
この場合も、ユーザ端末に対して、クロスキャリアスケジューリングによりプライマリセル（ＰＣＣ）でスケジューリングを行う。
【００６８】
ユーザ端末に対して、プライマリセル（ＰＣＣ）からサブフレームを指定して、受信動作を行うトリガまたは受信動作を行わないようにするＤｙｎａｍｉｃ  ＤＲＸ（Discontinuous  Reception）トリガをシグナリングしてもよい。ユーザ端末はこのシグナリングにしたがって、ＵＬサブフレームで受信動作を行わないようにふるまう。プライマリセル（ＰＣＣ）は、ユーザ端末に対して、この通知を、ＰＤＣＣＨまたはＥＰＤＣＣＨを用いてシグナリングしてもよいし、ＲＲＣ報知信号を含む上位レイヤを用いてシグナリングしてもよいし、これらを組み合わせてシグナリングしてもよい。
【００６９】
また、ＵＬキャリアアグリゲーション（ＣＡ）をサポートしないユーザ端末に対しては、上述したＤＬ  ｏｎｌｙ  ｃａｒｒｉｅｒに替えて、既存のＵＬ−ＤＬ構成を用いてもよい。たとえば、プライマリセル（ＰＣＣ）は、ＵＬキャリアアグリゲーション（ＣＡ）をサポートしないユーザ端末が、Ｄｙｎａｍｉｃ  ＴＤＤ  ＣＡキャリアをＵＬ−ＤＬ構成＃５（図２参照）とみなすようにシグナリングする。この場合、ＵＬキャリアアグリゲーション（ＣＡ）をサポートしないユーザ端末は、ＴＤＤキャリアのＵＬサブフレームでは上り信号送信動作を行わないものとする。
【００７０】
（第４の態様）
第４の態様では、第１の態様に係るＴＤＤ−ＦＤＤ  ＣＡを前提とした拡張Ｄｙｎａｍｉｃ  ＴＤＤを用いた構成のＤ２Ｄ（Device  to  Device）技術への応用について説明する。
【００７１】
ユーザ端末は、ＤＬサブフレーム以外のサブフレームでもＤ２Ｄ信号の受信動作を行うことができる。Ｄ２Ｄ信号とは、Ｄ２Ｄ  Ｄｉｓｃｏｖｅｒｙ、Ｄ２Ｄ同期およびＤ２Ｄデータチャネルを含むＤ２Ｄ通信で用いられるすべての信号、またはいずれかの信号の組み合わせとする。ＤＬサブフレーム以外のサブフレームとは、ＵＬサブフレームまたはＵＬもＤＬもシグナリングされていないサブフレームを指す。図９に示す例では、ユーザ端末ＵＥ＃１は、ＤＬサブフレーム以外のサブフレームでユーザ端末ＵＥ＃２から送信されるＤ２Ｄ信号を受信している。
【００７２】
プライマリセル（ＰＣＣ）は、ユーザ端末に対してＤ２Ｄ信号を受信するサブフレームを通知してもよい。プライマリセル（ＰＣＣ）は、ユーザ端末に対して、この通知を、ＰＤＣＣＨまたはＥＰＤＣＣＨを用いてシグナリングしてもよいし、ＲＲＣ報知信号を含む上位レイヤを用いてシグナリングしてもよいし、これらを組み合わせて通知してもよい。あるいは、ユーザ端末の動作として、ＤＬサブフレームが通知されたサブフレーム以外では、Ｄ２Ｄ信号の受信を検出するように構成してもよい。
【００７３】
ユーザ端末は、ＵＬサブフレームではプライマリセル（ＰＣＣ）からのシグナリングにより拡張Ｄｙｎａｍｉｃ  ＴＤＤキャリアを用いてＤ２Ｄ信号を送信してもよい。図９に示す例では、ユーザ端末ＵＥ＃１は、ＵＬサブフレームでユーザ端末ＵＥ＃２に対してＤ２Ｄ信号を送信している。
【００７４】
第１の態様に係るＴＤＤ−ＦＤＤ  ＣＡにおいては、ＵＬキャリアアグリゲーション（ＣＡ）をサポートしないユーザ端末であっても、プライマリセル（ＰＣＣ）への上り信号送信タイミング以外で拡張Ｄｙｎａｍｉｃ  ＴＤＤキャリアを用いてＤ２Ｄ信号を送信することができる。
【００７５】
以上のように、第１の態様に係るＴＤＤ−ＦＤＤ  ＣＡを前提とした拡張Ｄｙｎａｍｉｃ  ＴＤＤキャリアを利用してＤ２Ｄ信号の送受が可能となる。
【００７６】
（無線通信システムの構成）
以下、本実施の形態に係る無線通信システムの構成について説明する。この無線通信システムでは、上記第１の態様から第４の態様に係る無線通信方法が適用される。
【００７７】
図１０は、本実施の形態に係る無線通信システムの一例を示す概略構成図である。図１０に示すように、無線通信システム１は、複数の無線基地局１０（１１および１２）と、各無線基地局１０によって形成されるセル内にあり、各無線基地局１０と通信可能に構成された複数のユーザ端末２０と、を備えている。無線基地局１０は、それぞれ上位局装置３０に接続され、上位局装置３０を介してコアネットワーク４０に接続される。
【００７８】
図１０において、無線基地局１１は、たとえば相対的に広いカバレッジを有するマクロ基地局で構成され、マクロセルＣ１を形成する。無線基地局１２は、局所的なカバレッジを有するスモール基地局で構成され、スモールセルＣ２を形成する。なお、無線基地局１１および１２の数は、図１０に示す数に限られない。
【００７９】
マクロセルＣ１およびスモールセルＣ２では、同一の周波数帯が用いられてもよいし、異なる周波数帯が用いられてもよい。また、無線基地局１１および１２は、基地局間インタフェース（たとえば、光ファイバ、Ｘ２インタフェース）を介して互いに接続される。
【００８０】
無線基地局１１と無線基地局１２との間、無線基地局１１と他の無線基地局１１との間または無線基地局１２と他の無線基地局１２との間では、デュアルコネクティビティ（ＤＣ）またはキャリアアグリゲーション（ＣＡ）が適用される。
【００８１】
ユーザ端末２０は、ＬＴＥ、ＬＴＥ−Ａなどの各種通信方式に対応した端末であり、移動通信端末だけでなく固定通信端末を含んでいてもよい。ユーザ端末２０は、無線基地局１０を経由して他のユーザ端末２０と通信を実行できる。
【００８２】
上位局装置３０には、たとえば、アクセスゲートウェイ装置、無線ネットワークコントローラ（ＲＮＣ）、モビリティマネジメントエンティティ（ＭＭＥ）等が含まれるが、これに限定されるものではない。
【００８３】
無線通信システム１では、下りリンクのチャネルとして、各ユーザ端末２０で共有される下り共有チャネル（ＰＤＳＣＨ：Physical  Downlink  Shared  Channel）、下り制御チャネル（ＰＤＣＣＨ：Physical  Downlink  Control  Channel、ＥＰＤＣＣＨ：Enhanced  Physical  Downlink  Control  Channel）、報知チャネル（ＰＢＣＨ）などが用いられる。ＰＤＳＣＨにより、ユーザデータや上位レイヤ制御情報、所定のＳＩＢ（System  Information  Block）が伝送される。ＰＤＣＣＨ、ＥＰＤＣＣＨにより、下り制御情報（ＤＣＩ）が伝送される。
【００８４】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）などが用いられる。ＰＵＳＣＨにより、ユーザデータや上位レイヤ制御情報が伝送される。
【００８５】
図１１は、本実施の形態に係る無線基地局１０の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、インターフェース部１０６とを備えている。
【００８６】
下りリンクにより無線基地局１０からユーザ端末２０に送信されるユーザデータは、上位局装置３０からインターフェース部１０６を介してベースバンド信号処理部１０４に入力される。
【００８７】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、たとえば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００８８】
ベースバンド信号処理部１０４は、ＭＡＣレイヤのシグナリング、物理レイヤのシグナリングまたはＲＲＣシグナリングを含む上位レイヤシグナリングにより、ユーザ端末２０に対して、当該セルにおける通信のための制御情報を通知する。この制御情報には、たとえば、拡張Ｄｙｎａｍｉｃ  ＴＤＤセルで利用するＤＬサブフレームおよびＵＬサブフレーム構成に関する情報が含まれる。
【００８９】
各送受信部１０３は、ベースバンド信号処理部１０４からアンテナごとにプリコーディングして出力された下り信号を無線周波数帯に変換する。アンプ部１０２は、周波数変換された無線周波数信号を増幅して送受信アンテナ１０１により送信する。
【００９０】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００９１】
各送受信部１０３は、拡張Ｄｙｎａｍｉｃ  ＴＤＤセルで利用するＤＬサブフレームおよびＵＬサブフレーム構成に関する情報を含む制御情報をＭＡＣレイヤのシグナリングで送信する送信部として機能する。
【００９２】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、インターフェース部１０６を介して上位局装置３０に転送される。呼処理部１０５は、通信チャネルの設定や解放などの呼処理や、無線基地局１０の状態管理や、無線リソースの管理を行う。
【００９３】
インターフェース部１０６は、基地局間インターフェース（たとえば、光ファイバ、Ｘ２インターフェース）を介して隣接無線基地局と信号を送受信（バックホールシグナリング）する。あるいは、インターフェース部１０６は、所定のインターフェースを介して、上位局装置３０と信号を送受信する。
【００９４】
図１２は、本実施の形態に係る無線基地局１０が有するベースバンド信号処理部１０４の主な機能構成図である。図１２に示すように、無線基地局１０が有するベースバンド信号処理部１０４は、制御部３０１と、ＤＬ信号生成部３０２と、サブフレーム構成選択部３０３と、マッピング部３０４と、ＵＬ信号復号部３０５と、判定部３０６と、を少なくとも含んで構成されている。
【００９５】
制御部３０１は、ＰＤＳＣＨで送信される下りユーザデータ、ＰＤＣＣＨと拡張ＰＤＣＣＨ（ＥＰＤＣＣＨ）の両方、またはいずれか一方で伝送される下り制御情報、下り参照信号などのスケジューリングを制御する。また、制御部３０１は、ＰＲＡＣＨで伝送されるＲＡプリアンブル、ＰＵＳＣＨで伝送される上りデータ、ＰＵＣＣＨまたはＰＵＳＣＨで伝送される上り制御情報、上り参照信号のスケジューリングの制御（割り当て制御）も行う。上りリンク信号（上り制御信号、上りユーザデータ）の割り当て制御に関する情報は、下り制御信号（ＤＣＩ）を用いてユーザ端末２０に通知される。
【００９６】
制御部３０１は、上位局装置３０からの指示情報や各ユーザ端末２０からのフィードバック情報に基づいて、下りリンク信号および上りリンク信号に対する無線リソースの割り当てを制御する。つまり、制御部３０１は、スケジューラとしての機能を有している。
【００９７】
制御部３０１は、ユーザ端末２０がセカンダリセル（ＳＣＣ）のＴＤＤキャリアに接続する場合には、サブフレーム構成選択部３０３で選択されたＤＬサブフレームおよびＵＬサブフレームの構成に基づいて、各サブフレームに対するＤＬ信号およびＵＬ信号の割り当てを制御する。
【００９８】
ＤＬ信号生成部３０２は、制御部３０１により割り当てが決定された下り制御信号や下りデータ信号を生成する。具体的には、ＤＬ信号生成部３０２は、制御部３０１からの指示に基づいて、ＤＬ信号の割り当てを通知するＤＬアサインメントおよびＵＬ信号の割り当てを通知するＵＬグラントを生成する。また、ＤＬ信号生成部３０２は、サブフレーム構成選択部３０３で選択されたサブフレーム構成に関する情報を生成する。
【００９９】
サブフレーム構成選択部３０３は、トラフィックなどを考慮してセカンダリセルの拡張Ｄｙｎａｍｉｃ  ＴＤＤで利用するサブフレーム構成を選択する。
【０１００】
マッピング部３０４は、制御部３０１からの指示に基づいて、ＤＬ信号生成部３０２で生成された下り制御信号と下りデータ信号の無線リソースへの割り当てを制御する。
【０１０１】
ＵＬ信号復号部３０５は、上り制御チャネルでユーザ端末から送信された送達確認信号などのフィードバック信号を復号し、制御部３０１へ出力する。ＵＬ信号復号部３０５は、上り共有チャネルでユーザ端末から送信された上りデータ信号を復号し、判定部３０６へ出力する。
【０１０２】
判定部３０６は、ＵＬ信号復号部３０５の復号結果に基づいて、再送制御判定を行うとともにその結果を制御部３０１へ出力する。
【０１０３】
図１３は、本実施の形態に係るユーザ端末２０の全体構成図である。図１３に示すように、ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５と、を備えている。
【０１０４】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理などがなされる。この下りリンクのデータのうち、下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１０５】
一方、上りリンクのユーザデータについては、アプリケーション部２０５からベースバンド信号処理部２０４に入力される。ベースバンド信号処理部２０４では、再送制御（ＨＡＲＱ：Ｈｙｂｒｉｄ  ＡＲＱ）の送信処理や、チャネル符号化、プリコーディング、ＤＦＴ処理、ＩＦＦＴ処理などが行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１０６】
送受信部２０３は、ユーザ端末２０がセカンダリセルである拡張Ｄｙｎａｍｉｃ  ＴＤＤセルと接続する場合に、プライマリセルから送信されるＤｙｎａｍｉｃ  ＴＤＤセルのサブフレーム構成の動的な指示を含む制御情報を受信する受信部として機能する。
【０１０７】
図１４は、ユーザ端末２０が有するベースバンド信号処理部２０４の主な機能構成図である。図１４に示すように、ユーザ端末２０が有するベースバンド信号処理部２０４は、ＤＬ信号復号部４０１と、サブフレーム構成判断部４０２と、判定部４０３と、制御部４０４と、ＵＬ信号生成部４０５と、マッピング部４０６と、を少なくとも含んで構成されている。
【０１０８】
ＤＬ信号復号部４０１は、下り制御チャネルで送信された下り制御信号を復号し、スケジューリング情報を制御部４０４へ出力する。ＤＬ信号復号部４０１は、下り共有チャネルで送信された下りデータ信号を復号し、判定部４０３へ出力する。
【０１０９】
判定部４０３は、ＤＬ信号復号部４０１の復号結果に基づいて、再送制御判定を行うとともに、その結果を制御部４０４へ出力する。
【０１１０】
サブフレーム構成判断部４０２は、プライマリセル（無線基地局１０）から通知されるセカンダリセルの拡張Ｄｙｎａｍｉｃ  ＴＤＤセルのＤＬサブフレームおよびＵＬサブフレームに関する制御情報を判断する。サブフレーム構成判断部４０２は、拡張Ｄｙｎａｍｉｃ  ＴＤＤセルのＤＬサブフレームおよびＵＬサブフレームに関する情報を制御部４０４へ出力する。
【０１１１】
制御部４０４は、無線基地局１０から送信された下り制御信号（ＰＤＣＣＨ信号）や、受信したＰＤＳＣＨ信号に対する再送制御判定結果に基づいて、上り制御信号（Ａ／Ｎ信号等）や上りデータ信号の生成を制御する。無線基地局から受信した下り制御信号はＤＬ信号復号部４０１から出力され、再送制御判定結果は、判定部４０３から出力される。
【０１１２】
制御部４０４は、サブフレーム構成判断部４０２から出力される拡張Ｄｙｎａｍｉｃ  ＴＤＤセルのＤＬサブフレームおよびＵＬサブフレーム構成に関する情報に基づいて、上り制御信号や上りデータ信号の送信を制御する。制御部４０４は、プライマリセル（無線基地局１０）からの指示に基づいて、たとえばメジャメント、ＣＳＩ測定、ＲＡＣＨ送信、ＵＣＩフィードバックまたはサウンディングなどの拡張Ｄｙｎａｍｉｃ  ＴＤＤセルに対する動作を制御する。
【０１１３】
ＵＬ信号生成部４０５は、制御部４０４からの指示に基づいて、たとえば送達確認信号やフィードバック信号などの上り制御信号を生成する。ＵＬ信号生成部４０５は、制御部４０４からの指示に基づいて、上りデータ信号を生成する。拡張Ｄｙｎａｍｉｃ  ＴＤＤセルの構成としてＤＬ  ｏｎｌｙ  ｃａｒｒｉｅｒが設定される場合には、ＵＬ信号生成部４０５は、上りデータ信号の生成は行わずに、ＤＬ信号に対する上り制御信号を生成する。
【０１１４】
マッピング部４０６は、制御部４０４からの指示に基づいて、上り制御信号と上りデータ信号の無線リソースへの割り当てを制御する。
【０１１５】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【符号の説明】
【０１１６】
１…無線通信システム
１０，１１，１２…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…インターフェース部
２０１…送受信アンテナ
２０２…アンプ部
２０３…送受信部
２０４…ベースバンド信号処理部
２０５…アプリケーション部
３０１…制御部（スケジューラ）
３０２…ＤＬ信号生成部
３０３…サブフレーム構成選択部
３０４…マッピング部
３０５…ＵＬ信号復号部
３０６…判定部
４０１…ＤＬ信号復号部
４０２…サブフレーム構成判断部
４０３…判定部
４０４…制御部
４０５…ＵＬ信号生成部
４０６…マッピング部
【図１】
2015133642.tif 000003
【図２】
2015133642.tif 000004
【図３】
2015133642.tif 000005
【図４】
2015133642.tif 000006
【図５】
2015133642.tif 000007
【図６】
2015133642.tif 000008
【図７】
2015133642.tif 000009
【図８】
2015133642.tif 000010
【図９】
2015133642.tif 000011
【図１０】
2015133642.tif 000012
【図１１】
2015133642.tif 000013
【図１２】
2015133642.tif 000014
【図１３】
2015133642.tif 000015
【図１４】
2015133642.tif 000016